(57)【要約】【課題】二つの洗濯物の厚さに大きな差がある場合でも、二つの掴み部によってそれぞれしっかりと止めることができる洗濯ばさみを得る。【解決手段】洗濯ばさみ１を、支点となる開閉軸２によって開閉自在に連結された一対の挟持部材３からなり、各挟持部材３に、開閉軸２を挟んで開閉操作部４と二つのピンチ部５とを設け、対面する上記ピンチ部５が２組の掴み部８を形成し、上記２組の掴み部８のそれぞれに、上記開閉軸２を設けると共に、対面する上記ピンチ部５が互いに閉じ合うように付勢するばね９を取り付けた構成とした。【選択図】図２
2005103143.tif 000002
【特許請求の範囲】
【請求項１】
支点となる開閉軸によって開閉自在に連結された一対の挟持部材からなり、各挟持部材に、開閉軸を挟んで開閉操作部と二つのピンチ部とを設け、対面する上記ピンチ部が２組の掴み部を形成し、上記２組の掴み部のそれぞれに、上記開閉軸を設けると共に、対面する上記ピンチ部が互いに閉じ合うように付勢するばねを取り付けた洗濯ばさみ。
【発明の詳細な説明】
【技術分野】
【０００１】
この発明は、洗濯物を挟持する洗濯ばさみに関する。
【背景技術】
【０００２】
従来から、物干し竿に架けられた洗濯物を竿越しに挟持するものとして、図１（ａ）、（ｂ）に示すような洗濯ばさみ２１がある。
この洗濯ばさみ２１は、支点となる開閉軸２２を挟んで開閉操作部２３と二股のピンチ部２４とを有する同一形状をした一対の挟持部材２５からなり、この一対の挟持部材２５を対向させて、支点となる開閉軸２２を互いに開閉可能に連結し、一対の挟持部材２５の対面する二股のピンチ部２４が互いに閉じ合うように、一対の挟持部材２５間にバネを設けたものである。
【０００３】
この洗濯ばさみ２１は、一対の挟持部材２５の対面する二股のピンチ部２４によって、二つの掴み部２４ａ、２４ｂが形成される。したがって、干し竿に並んで干した洗濯物の間に、一つの洗濯ばさみ２１を配置することにより、二つの洗濯物を二つの掴み部２４ａ、２４ｂによってそれぞれ止めることができるという利点を有する。
【０００４】
しかしながら、二つの洗濯物の厚みに差がある場合、二つの掴み部２４ａ、２４ｂのうち、厚い方を挟んでいる掴み部２４ａが洗濯物の厚みに応じて開くと、薄い方の洗濯物を挟んでいる掴み部２４ｂも連動して開くため、薄い方の洗濯物を挟んでいる掴み部２４ｂに、十分な挟持力が生じず、薄い方の洗濯物が止められない、という問題がある。
【発明の開示】
【発明が解決しようとする課題】
【０００５】
そこで、この発明の課題は、厚さに大きな差のある二つの洗濯物であっても二つの掴み部によってそれぞれしっかりと止めることができる洗濯ばさみを得ることにある。
【課題を解決するための手段】
【０００６】
上記の課題を解決するため、この発明は、洗濯ばさみを、支点となる開閉軸によって開閉自在に連結された一対の挟持部材からなり、各挟持部材に、開閉軸を挟んで開閉操作部とピンチ部とを設け、対面する上記ピンチ部が２組の掴み部を形成し、上記２組の掴み部のそれぞれに、上記開閉軸を設けると共に、対面する上記ピンチ部が互いに閉じ合うように付勢するばねを取り付けた構成とした。
【０００７】
上記の構成によれば、各挟持部材に、開閉軸を挟んで開閉操作部と二つのピンチ部とを設け、対面する上記ピンチ部が２組の掴み部を形成し、上記２組の掴み部のそれぞれに、上記開閉軸を設けると共に、対面する上記ピンチ部が互いに閉じ合うように付勢するばねを取り付けた構成なので、上記掴み部の各組は、それぞれ容易に開閉しやすくなると共に、各々に付勢力が作用するようになる。
【発明の効果】
【０００８】
このため、この発明の洗濯ばさみは、二つの洗濯物の厚さに大きな差がある場合でも、対面するピンチ部が、それぞれ干し竿に押し付けられるので、薄い方の洗濯物を挟む掴み部が洗濯物から浮き上がることを防止でき、しっかりと挟むことができる。
【発明を実施するための最良の形態】
【０００９】
この発明を実施するための最良の形態を図２〜５に基き説明する。図２、３に示すように、洗濯ばさみ１は、支点となる開閉軸２によって開閉自在に連結された一対の挟持部材３からなる。
【００１０】
洗濯ばさみ１の分解図を側面表示した図４、挟持部材３の底面を示した図５に示すように、各挟持部材３は、同一の形状を有し、開閉軸２を挟んで開閉操作部４と二つのピンチ部５とを有する。
【００１１】
挟持部材３の底面には、一対の支持板６、６と挿入板７とが左右両側に離れて設けられている。各支持板６は、側端部が側面から見て半円に形成されている。挿入板７は、一対の支持板６、６間に挿し込まれる挿入部を有し、その両側に、支持板６、６の側端部を受ける滑り受面７ａ、７ａが形成されている。開閉軸２は、各挟持部材３を対面させ、互いに一対の支持板６、６間に相手の挿入板７を挿し合うことによって形成される。
【００１２】
開閉操作部４は、支持板６と挿入板７のそれぞれの基部から上方に、かつ外方に反らしながら一定距離を延ばし、それぞれの延設部の上端で連結することにより形成されている。また、ピンチ部５は、支持板６と挿入板７のそれぞれの基部から下方に、かつ外方に湾曲させながら形成されている。
【００１３】
上記の構成により、対面するピンチ部５が２組の掴み部８を形成し、各組の掴み部８に開閉軸２を設けることができる。さらに、各組の掴み部８には、ばね９が対面するピンチ部５が互いに閉じ合うように取り付けられている。ばね９は、Ｃ形の線加工ばねであり、開閉操作部４に形成された通し孔４ａに挿通され、開閉軸２を跨いで対面するピンチ部５を挟むように固定されている。
【００１４】
このように、各組の掴み部８に開閉軸２を形成し、各組の掴み部８にばね９を設けると、各組の掴み部８は、開閉しやすくなると共に、それぞれ洗濯物を挟むように付勢されるので、洗濯物をしっかりと止めることができる。
【００１５】
なお、ばね９の固定は、ばね９の付勢力の作用点が対面するピンチ部５に存在すればよく、ピンチ部５の平面、側面などいずれの面上に固定してもよいし、ピンチ部５の下端部に固定してもよい。また、ばね９には、線加工ばねだけでなく、薄板ばね等を用いることもできる。
【００１６】
各挟持部材３は、可撓性を有する素材からなり、例えば、ポリプロピレンなどの弾性樹脂製とすることができる。
【００１７】
以上の構成を有する洗濯ばさみ１は、いずれのピンチ部５も干し竿に押し付けられるので、二つの洗濯物の厚さに大きな差がある場合でも、各組の掴み部８毎にそれぞれの洗濯物をしっかりと挟むことができる。
【図面の簡単な説明】
【００１８】
【図１】（ａ）従来の洗濯ばさみの使用状態図。（ｂ）（ａ）の一部を破断表示した正面図。
【図２】この発明の最良の実施形態の洗濯ばさみの全体斜視図。
【図３】図２の洗濯ばさみの側面図。
【図４】図２の洗濯ばさみの分解状態の側面表示図。
【図５】図２の洗濯ばさみを構成する挟持部材の底面図。
【符号の説明】
【００１９】
１  洗濯ばさみ
２  開閉軸
３  挟持部材
４  開閉操作部
５  ピンチ部
６  支持板
７  挿入板
８  掴み部
９  ばね
【図１】
2005103143.tif 000003
【図２】
2005103143.tif 000004
【図３】
2005103143.tif 000005
【図４】
2005103143.tif 000006
【図５】
2005103143.tif 000007